(57)【要約】      （修正有）【課題】発光ダイオードの点滅と赤色透光再帰性反射シートの再帰反射、透過光散乱機能を併せ備えて且つ特定の指示したい水平方向に明確なる指示信号を送り注意を促す必要がある。【解決手段】電池５と点滅制御ユニット１７を内包し外側面に電源スイッチ４を設けた握持部６と給電線１８に固定した複数の発光ダイオード７ａを所定間隔離間して筒軸中心線近傍に備え、筒内側面に赤色透光再帰性反射シート２を設置した透光性筒状体１との間に透光性筒状体１の延長部として、筒径が透光性筒状体１から握持部６方向に円弧状に変化する淡赤色透光性球状部３を設ける。【選択図】図１
2008262883.tif 000002
【特許請求の範囲】
【請求項１】
握持部筒軸方向先端に透光性筒状体を連設してなる携帯型誘導灯に於いて前記透光性筒状体内の一部領域に、透光性筒状体基体に固定した軸部と発光体を設置し、前記軸部の外周に回転可能に回転支持部材を設置し、前記回転支持部材外周の片側又は両側に反射鏡を配設し、さらに前記回転支持部材下部に下方向の棒状材を取り付け、前記棒状材下端に質量物を内包して前記透光性筒状体の筒軸方向に長さを有する密閉容器を設置して、前記透光性筒状体内の他の領域と共に併せ備えて成る携帯型誘導灯。
【請求項２】
前記回転支持部材下部の前記棒状材と前記密閉容器を撤去し、前記回転支持部材と前記反射鏡の何れかに円柱軸を設け、前記円柱軸を支点に前記透光性筒状体筒軸方向に振り子運動可能にして、質量物を吊り下げて成る請求項１の携帯型誘導灯。
【請求項３】
請求項１に於いて、前記密閉容器を撤去して成る請求項１の携帯型誘導灯。
【請求項４】
前記発光体を撤去し、前記反射鏡各々に発光体を配設し、前記軸部と前記回転支持部材の間を回転摺動給電構造にして前記発光体に給電した請求項１、請求項２、請求項３の携帯型誘導灯。
【発明の詳細な説明】
【技術分野】
【０００１】  本発明は路上等に於いて車両や人を誘導するために用いられる携帯型誘導灯に関する。
【背景技術】
【０００２】  従来の携帯型誘導灯は電池を内蔵した筒状握持部の筒軸方向先端に透光性筒状体を連設し、この透光性筒状体内部の筒軸方向中心線近傍に点灯又は点滅制御された複数の発光ダイオードを発光体として所定間隔離間して配設し、透光性筒状体内側面に入射光を光源方向に反射する赤色透光再帰性反射シートを設置して、車両または人に対して携帯型誘導灯を上下左右に振って合図指示して誘導する。
【特許文献１】  特許公開平１１−０８６６０１
【特許文献２】  特許公開２００４−０８７４４１
【発明の開示】
【発明が解決しようとする課題】
【０００３】  携帯型誘導灯は電源を電池等の小電力源に依存し電力消費に制約があるため発光ダイオードを点滅制御し、赤色透光再帰性反射シートの再帰反射光と凹凸面による散乱光によって車両や人の認識度を高め、周囲に同輝度の光を放す様になっている。
夜間に於いて携帯型誘導灯は周囲からその存在を認識されつつ、指示誘導する特定の水平方向の車両、人に上下左右に振って最終的に携帯型誘導灯の筒軸方向を車両や人に対し横（平行）向きにして止まれ等の合図を送り指示誘導を終了する事から、発光ダイオードの点滅と赤色透光再帰性反射シートの再帰反射、透過光散乱機能を併せ備えて且つ特定の指示したい水平方向に明確なる指示信号を送り注意を促す必要がある。
【課題を解決するための手段】
【０００４】  特定の水平方向により明確なる指示信号を送るため請求項１は握持部筒軸方向先端に透光性筒状体を連設してなる携帯型誘導灯に於いて前記透光性筒状体内の一部領域に、透光性筒状体基体に固定した軸部と発光体として発光ダイオードを設置し、前記軸部の外周に回転可能に回転支持部材を設置し、前記回転支持部材外周の片側又は両側に反射鏡を配設し、さらに前記回転支持部材下部に下方向の棒状材を取り付け、前記棒状材下端に質量物を内包して前記透光性筒状体の筒軸方向に長さを有する密閉容器を設置して、前記透光性筒状体内の他の領域と共に併せ備えて成る。【０００５】  請求項２は請求項１に於いて前記回転支持部材下部の前記棒状材と前記密閉容器を撤去し、前記回転支持部材と前記反射鏡の何れかに円柱軸を設け、前記円柱軸を支点に前記透光性筒状体筒軸方向に振り子運動を可能にして、質量物を吊り下げて成る。【０００６】  請求項３は請求項１に於いて前記棒状材下端の前記密閉容器を撤去して成る。【０００７】  請求項４は請求項１、請求項２、請求項３の前記発光ダイオードを撤去し、前記反射鏡各々に発光ダイオードを配設し、前記軸部と前記回転支持部材の間を回転摺動給電構造にして前記発光ダイオードに給電して成る。
【発明の効果】
【０００８】  透光再帰性反射シートの再帰反射と透過光の散光機能で周囲に携帯型誘導灯の存在を認識させつつ指示誘導したい特定方向の車両、人に対し従来型携帯型誘導灯の電力消費と変わらず誤動作に因って誤信号を発する恐れのあるスイッチ等の操作無しに、旗による指示誘導と同じくして自然な普通の動作によって、本発明の携帯型誘導灯は車両や人に対し止まれ等の指示を出し上下左右に振る動きを止めて横向き（平行）にした時、水平方向を中心に上下に減衰振動した輝度の高い収束光によって認識度を高め、確実な合図を発して注意を促しスムースな誘導を可能にする。
【発明を実施するための最良の形態】
【０００９】  図１に於いて電池５と点滅制御ユニット１７を内包し外側面に電源スイッチ４を設けた握持部６と給電線１８に固定した複数の発光ダイオード７ａを所定間隔離間して筒軸中心線近傍に備え、筒内側面に赤色透光再帰性反射シート２を設置した透光性筒状体１との間に透光性筒状体１の延長部として、筒径が透光性筒状体１から握持部６方向に円弧状に変化する淡赤色透光性球状部３を設ける。
【実施例１】
【００１０】  図２と図３に於いてこの淡赤色透光性球状部３の中心に先端を透光性筒状体１方向に向けて発光ダイオード７ｂを設置し、透光性筒状体１の筒軸方向中心線に対し直交方向に中央部から漸次拡径し中央端部と拡径端部が共に開口したテーパー形状で、内側反射面が放物線面から成る一組の反転相似形の反射鏡８中央端部を互いに背あわせに、各々反射鏡８の焦点に発光ダイオード７ｂを共有して円筒形回転支持部材９両側に平衡で筒軸方向中心線に直交して取り付け、反射鏡８背併せ中央部握持部６側に発光ダイオード７ｂへの給電線１８を通すための開口部を設ける。
円筒形回転支持部材９は透光性筒状体１の筒軸中心線を共有して握持部６側と透光性筒状体１側の二つに分割して各々反射鏡８焦点を結ぶ中心線と直交方向にして各々反射鏡８背あわせ中央部外側面に取り付ける。
円筒形回転支持部材９下部に透光性筒状体１の筒軸中心線と各々反射鏡８の焦点を通る中心線に対し直交下方にして棒状材１１を取り付け、透光性筒状体１の筒軸方向と同一方向に淡赤色透光性球状部３の中心に対して求心円弧状に曲がって両端が閉じた長さが淡赤色透光性球状部３半径の１．２倍程度の円弧状円筒形で、内部に質量物として低粘度の油１４と円筒内径より小さい金属球１３を内包した円弧状円筒密閉容器１２をこの円弧状円筒密閉容器１２外側面が回転時に淡赤色透光性球状部３内側面に触れない様にして棒状材１１下端に取り付け、一組の反転相似形の反射鏡８と円筒形回転支持部材９と円弧状円筒密閉容器１２と棒状材１１を一体構造にする。
円筒形回転支持部材９は各々反射鏡８背併せ中央部筒軸方向で淡赤色透光性球状部３基体に固定した軸部１０ａ，１０ｂに差し込む。
二つの軸部１０ａ，１０ｂの内、握持部側軸部１０ｂは良導体から成る金属製の円筒形で、図６に於いて内部に絶縁された給電線１８を通して発光ダイオード７ｂのリード線二線各々を給電線１８と握持部側軸部１０ｂとに接続し、点滅制御ユニット１７出力の二線を握持部側軸部１０ｂと給電線１８に接続し、透光性筒状体１内、淡赤色透光性球状部３内の全ての発光ダイオード７ａ、７ｂは点滅制御ユニット１７を共有して点滅にする。
【実施例２】
【００１１】  円弧状円筒密閉容器１２を撤去し、図４に於いて一組の反射鏡８背併せ中央部の下部に固定して透光性筒状体１筒軸方向と直交方向の円柱軸１５を設け、この円柱軸１５の外周に振り子運動を可能した回転支持部を上部に有し、下部に重心のある振り子形状体１６を吊り下げて、実施例１と同様にして透光性筒状体１内、淡赤色透光性球状部３内の全ての発光ダイオード７ａ、７ｂは点滅制御ユニット１７を共有して点滅にする
【実施例３】
【００１２】  先端方向への指向性が強いレンズ付発光ダイオード７ｃを使用する場合は、淡赤色透光性球状部３の中心に設置した発光ダイオード７ｂを撤去し、図５に於いて発光ダイオード７ｃ先端を反射鏡８の拡径方向に向けて各々反射鏡８の焦点に取り付け、透光性筒状体１側軸部１０ａと淡赤色透光性球状部３基体間、反射鏡８と回転支持部材９間を各々絶縁して、軸部１０ａ，１０ｂと回転支持部材９を良導体の金属で構成し、図７に於いて点滅制御ユニット１７出力からの給電線１８の一線を握持部側軸部１０ｂに他の一線を透光性筒状体１側軸部１０ａに接続し、２つの発光ダイオード７ｃを並列接続して成る各々の二線を、二つに分割した円筒形回転支持部材９に各々接続して回転摺動給電構造にして、実施例１と同様に透光性筒状体１内、淡赤色透光性球状部３内の全ての発光ダイオード７ａ、７ｃは点滅制御ユニット１７を共有して点滅にする。
【産業上の利用可能性】
【００１３】  本発明に係わる携帯型誘導灯は従来の携帯型誘導灯に本発明の機構を組み込んで構成することによって量産ができ、産業上の利用可能性を有する。
【図面の簡単な説明】
【００１４】
【図１】  本発明の携帯型誘導灯外形概略説明図。
【図２】  本発明実施例１の淡赤色透光性球状部内部側面概略説明図。
【図３】  本発明実施例１の淡赤色透光性球状部内部筒軸方向概略説明図。
【図４】  本発明実施例２の淡赤色透光性球状部内部側面概略説明図。
【図５】  本発明実施例３の淡赤色透光性球状部内部筒軸方向概略説明図。
【図６】  本発明実施例１，２の電気回路結線説明図。
【図７】  本発明実施例３の電気回路結線説明図。
【符号の説明】
【００１５】１…透光性筒状体              １０ａ…透光性筒状体側軸部  １０ｂ…握持部側軸部
２…赤色透光再帰性反射シート            １１…棒状材
３…淡赤色透光性球状部                  １２…円弧状円筒密閉容器
４…電源スイッチ                        １３…金属球
５…電池                                １４…低粘度の油
６…握持部                              １５…円柱軸
７ａ，７ｂ，７ｃ…発光ダイオード        １６…振り子形状体
８…反射鏡                              １７…点滅制御ユニット
９…円筒形回転支持部材                  １８…給電線
【図１】
2008262883.tif 000003
【図２】
2008262883.tif 000004
【図３】
2008262883.tif 000005
【図４】
2008262883.tif 000006
【図５】
2008262883.tif 000007
【図６】
2008262883.tif 000008
【図７】
2008262883.tif 000009